(57)【要約】【課題】軽く身体動作によく追従して作業性のよい耐刃防御部材及び耐刃防御衣料。【解決手段】耐刃材料によって製作された複数枚の耐刃角形板１を、隣り合う耐刃角形板と周縁部を重ねて配列し連結されてなる耐刃防御部材において、耐刃角形板が、少なくとも２つの連結端部７を形成させた一個の板状ジョイント部品４を用い、耐刃角形板の連結部分に設けたスリット状の連結孔６にそれぞれ前記連結端部を挿通し折り曲げ、ジョイント部品を介して相互に繋ぎ止められることによって、ルーズに連結され、所要の面形状に構成されている。ボルトやリベットを使用しないので、これらを構成する耐刃角形板の周縁部を重ねて貫通孔を設ける必要がなく、重ね幅を防刃に必要な最小限に留め、従来のものに比較して軽くなり機動性に優れる。【選択図】  図１
2005069672.tif 000002
【特許請求の範囲】
【請求項１】
耐刃材料によって製作された複数枚の耐刃角形板（１）を、隣り合う耐刃角形板と周縁部を重ねて配列し連結されてなる耐刃防御部材において、耐刃角形板が、少なくとも２つの連結端部（７）を形成させた一個の板状ジョイント部品（４）を用い、耐刃角形板の連結部分に設けたスリット状の連結孔（６）にそれぞれ前記連結端部を挿通し折り曲げ、ジョイント部品を介して相互に繋ぎ止められることによって、ルーズに連結され、所要の面形状に構成されていることを特徴とする耐刃防御部材。
【請求項２】
耐刃角形板の角の部分（２）を連結部分として耐刃角形板が相互に繋ぎ止められていることを特徴とする請求項１に記載の耐刃防御部材。
【請求項３】
角の部分が重なり合って連結されることになる耐刃角形板において、前記のすべて又は一部の耐刃角形板の重なり合う部分が切り欠かれていることを特徴とする請求項１又は２に記載の耐刃防御部材。
【請求項４】
ジョイント部品が、先端部を連結端部とする矩形、Ｌ字形、Ｔ字形、十字形又は放射状の板状体であって、連結端部を耐刃角形板の連結孔に挿通し折り曲げて耐刃角形板をルーズに繋ぎ止めていることを特徴とする請求項１、２又は３に記載の耐刃防御部材。
【請求項５】
耐刃角形板は、実質的に碁盤の目状に配列されていることを特徴とする請求項１〜４のいずれかに記載の耐刃防御部材。
【請求項６】
４枚の耐刃角形板の角先端部が重なり合って十字に交叉連結されることになる部分では、各耐刃角形板の重なり合う部分が切り欠かれ、切欠き部分（５）に沿って連結孔が設けられ、切欠きによって生じる開口部（８）を覆うに足りる大きさの４つの連結端を有する十字型のジョイント部品を用い、それぞれ連結端部を連結孔に挿通し折り曲げて各耐刃角形板をジョイント部品を介し相互に繋ぎ止めることによって、４枚の耐刃角形板がルーズに連結され、所要の面形状に構成されていることを特徴とする、請求項５に記載の耐刃防御部材。
【請求項７】
耐刃角形板の周縁部に沿って丘状のリブ（９）が設けられていることを特徴とする、請求項１〜６のいずれかに記載の耐刃防御部材。
【請求項８】
耐刃角形板の中央部に段差を付けた丘状領域（１３）が設けられていることを特徴とする、請求項１〜７のいずれかに記載の耐刃防御部材。
【請求項９】
耐刃角形板及び／又はジョイント部品が、チタン、アルミニウム合金及びステンレス鋼の中から選ばれた１種又は複数種の素材からなることを特徴とする、請求項１〜８のいずれかに記載の耐刃防御部材。
【請求項１０】
所要の方向に曲げ加工を施された耐刃角板が配列されていることを特徴とする、請求項１〜９のいずれかに記載の耐刃防御部材。
【請求項１１】
請求項１〜１０のいずれかに記載の耐刃防御部材が、身体形状に沿った滑らかな曲面を形成して配列され繋ぎ止められていることを特徴とする、耐刃防御衣料。
【発明の詳細な説明】
【技術分野】
【０００１】
本発明は、主として刀剣・刃物類による攻撃の危険から身体を防御するため使用する耐刃防御部材、及びそれを用いた耐刃防御衣料に関する。
【背景技術】
【０００２】
警察官やガードマンは、犯罪者や不審者からの刃物による攻撃に対して身の安全を保つため、必要に応じ耐刃防御部材を使用した衣料を着用して職務に従事する。耐刃防御部材は、各種刃物によるあらゆる方向からの攻撃に耐えると共に、警察官等の職務行動に支障を与えることなく、長時間着用にも着用快適性を損なわない部材が求められる。従来から前記目的を達成するのために各種部材や衣料が提案され、日進月歩してはいるものの、耐刃性と機動性、着用性という相反する要請を共に満足させることは容易ではなく、未だ満足できる部材は提供されていない。
【０００３】
最近では、例えば特開２００１−０１２８９９号公報に、周縁部に複数の連結用リベット孔が設けられた金属板小片を、リベット孔を重ね合わせ連通させて所要の形状に配列しリベットを挿通して緩くかしめて、連結部が可動性を保持できるように連結した耐刃防護板が開示されている。
【０００４】
【特許文献１】特開２００１−０１２８９９号公報
【発明の開示】
【発明が解決しようとする課題】
【０００５】
しかし、従来の耐刃防御部材やそれを利用した耐刃防御衣料は、重くて疲れやすい、構成部材の動きが身体動作に追従できず作業性向上を求められるなど、未解決の課題が残されている。本発明はこれら未解決課題の解決を目的に研究し、試行錯誤の結果、完成することができたものである。
【課題を解決するための手段】
【０００６】
前記の課題を解決するための手段として本発明は、耐刃材料によって製作された複数枚の耐刃角形板１を、隣り合う耐刃角形板と周縁部を重ねて配列し連結されてなる耐刃防御部材であって、耐刃角形板が、少なくとも２つの連結端部７を形成させた一個の板状ジョイント部品４を用い、耐刃角形板の連結部分に設けたスリット状の連結孔６にそれぞれ前記連結端部を挿通し折り曲げ、ジョイント部品を介して相互に繋ぎ止められることによって、ルーズに連結され、所要の面形状に構成された、軽くて機動性に富む耐刃防御部材を開示する。
【０００７】
本発明の耐刃防御部材は、耐刃角形板１の一部を切り欠き、切欠いた部分５に近接してジョイント部品４との連結孔６を設けて、少なくとも連結対象になる耐刃角形板と同数の連結端部７を有するジョイント部品４を用い、前記各連結孔６に連結端部７を挿通して、前記の耐刃角形板を掛け繋ぎ、ルーズに連結することができる。とくに推奨されるのは、耐刃角形板の角の部分２を連結部分として耐刃角形板１を相互に繋ぎ止める手法である。その際、角の部分が重なり合って連結されることになる耐刃角形板１においては、前記のすべて又は一部の耐刃角形板の重なり合う部分を切り欠いておくとよい。
【０００８】
また、使用するジョイント部品４は、先端部を連結端部７とする矩形、Ｌ字形、Ｔ字形、十字形又は放射状の板状体のものが利用しやすく、必要に応じて耐刃角形板１が掛け繋がれる部分に生じる開口部８を覆うに足りる大きさの耐刃材料で製作するとよい。これらのジョイント部品４を用いて、その連結端部７を耐刃角形板１に形成されたスリット状の連結孔６に挿通し折り曲げて耐刃角形板１を繋ぎ止め、容易に複数の耐刃角型板１をルーズに連結することができる。
【０００９】
耐刃角形板は、実質的に碁盤の目状に配列されることが多い。その好ましい連結例を具体的に説明すると、４枚の耐刃角形板の角先端部が重なり合って十字に交叉連結されることになる部分では、各耐刃角形板の重なり合う部分が切り欠かれ、切欠き部分に沿ってスリット状の連結孔が設けられ、切欠きによって生じる開口部を覆うに足りる大きさの４つの連結端を有する十字型のジョイント部品を用い、それぞれ連結端部を連結孔に挿通し折り曲げて各耐刃角形板をジョイント部品を介し相互に掛け繋ぐことによって、４枚の耐刃角形板がルーズに連結され、所要の面形状に構成される。
【００１０】
本発明において、耐刃角形板１は、耐刃効果を高める目的で望ましくはその周縁部に沿って丘状のリブ９を設け、あるいは凹凸感を軽減するために耐刃角形板１の中央部に段差を付けた丘状領域１３を設ける。必要によっては耐刃角形板１を所要の方向に曲げ加工を施し、耐刃防御部材の曲げ方向を揃えて滑らかな曲面を形成し、配列することもできる。耐刃防御衣料の製作に役立つ手段である。また、耐刃角形板１及び／又はジョイント部品４の素材には、一般には金属、なかでもチタン、アルミニウム合金及びステンレス鋼が好適である。そして、本発明に係る耐刃防御部材を使用して製作された耐刃防御衣料は、本発明の課題を解決するものとして大きく進歩したものとなる。
【００１１】
なお、耐刃防御性は、落下衝撃試験機（大栄科学（株）製）を用い、仕事量が２５Ｊにおける刃物の貫通長さを測定することで確認した。刃物にはアイスピック、バタフライナイフ、出刃包丁を用い、各刃物に落下治具を取り付けて総重量が１．７ｋｇになるようにし１．５ｍの高さから自由落下させて仕事量を調整した。試料の耐刃防御部材の下側には油粘土を敷いて固定した。
【発明の効果】
【００１２】
本発明に係る耐刃防御部材および耐刃防御衣料は、耐刃角形板の連結部に板状のジョイント部品を用い、ボルトやリベットを使用しないので、耐刃角形板の連結部を重ねて貫通孔を設ける必要がなく、従って、耐刃角型板が不必要に重なる部分を切り欠き、耐刃角形板周縁部の重ね幅を防刃に必要な最小限に留めることができる。切り欠き部分からの刃物の侵入はジョイント部品を開口部に被せることによって防御できる。また、耐刃角形板の角部分を連結部分として掛け繋ぐことによって耐刃角形板の相対位置の移動が容易になり摺動抵抗が減少するので、従来のものに比較して軽くなって着用者にとり疲れにくく機動性に優れたものとなる。また、裏面での凹凸が少ないので着用時の違和感が軽減され、着用しやすいという利点も見逃せない。
【発明を実施するための最良の形態】
【００１３】
以下、本発明の実施の形態について具体例を挙げながら図面を参照して説明する。まず、本発明耐刃防御部材について全体的に説明する。耐刃防御部材は耐刃角形板とジョイント部材とからなる部材である。図１は、本発明耐刃防御部材の一例を示す図であって、（ａ）はジョイント部品４を表裏両方向に掛け繋いだケースの正面方向平面図、（ｂ）は（ａ）の横方向断面図、（ｃ）はジョイント部品４を一方向に掛け繋いだケースの正面方向平面図である。図２は耐刃防御部材（耐刃角形板１）を組み合わせ、ジョイント部品４を表一方向に掛け繋いで製作された、耐刃防御衣料（防刃チョッキ）の一例を示す図であって、（ａ）はその正面平面図、（ｂ）は横方向断面図である。ジョイント部品４は一方向に掛け繋いでいる。複数枚の耐刃角形板１の周縁部と隣り合う耐刃角形板の周縁部１０とを重ねて面状に配列し、互いに重なりもしくは対峙する角の部分をジョイント部品４でルーズに連結し、複数の耐刃角形板１を一体に構成したものである。なお、本発明において「ルーズ」は、無制限な可動性を付与するものではなく、機能上必要な範囲内での可動性を保持することをいう。耐刃角形板１の重ね方は、図１に示されるように表層と裏層を千鳥に配する２層方式や羽重ね（よろい張り）などにすることができる。耐刃角形板１は耐刃素材を用いて製作する。
【００１４】
図３は耐刃角形板１の一例を示し（ａ）は平面図、（ｂ）は長手方向側面図、（ｃ）はＡ−Ａ´断面図である。通常、耐刃角形板１の平面形状が正方形、矩形、梯形、３角形のものを適宜に組み合わせて全体を所要の面形状に構成する。隣接もしくは対峙して重なり合う耐刃角形板の角の部分３を切り欠き、切欠きに沿って角に近接する部分２には耐刃角形板１を連結するための連結孔６を設ける。孔の形状は使用するジョイント部品の連結端部７の断面形状によって決められる。
【００１５】
また、重ねた耐刃角形板１の間隙や、耐刃防御衣料の縁と身体との間から刃物が入り込むのを防御するため、耐刃角形板の周縁に沿って丘状のリブ９を設けることが望ましい。リブ９は、通常、重なる耐刃角形板のいずれか一方に設けるが、使用部位によっては双方から互いに向かい合う方向に位置をずらして設けることもある。耐刃角形板を耐刃防御衣料等に利用するに際し、内面側におけるジョイント部品の連結端部７の違和感を軽減し、あるいは耐刃防御衣料等の着用が外観に現れないよう耐刃部材に平滑性をもたせるために、耐刃角形板の中央部に段差を付けた丘状の凸状領域１３を設けることができる。リブ９及び凸状領域１３の位置、長さ、耐刃角形板基準面から方向、段差の程度、領域等は、使用される部位や適宜に選択すればよい。多くの場合、試作品によるテストや経験により設定することになると考えてよい。
【００１６】
耐刃角形板もしくは耐刃防御部材は、耐刃防御衣料に用い身体に密着させるため、身体に沿った方向に曲面を形成しておくとよい。具体的には、所要の方向に、好ましくは１００Ｒ〜６００Ｒの範囲の、曲げ加工が施された耐刃角形板を、曲げ方向を揃え滑らかな曲面を形成するように配列する。さらに、着用性を向上する目的で複数の小さな通気孔１１を設けることもできる。
【００１７】
また、耐刃角形板１の配列は碁盤の目状にすることが多い。製作、組合せが容易で、たとえば身体動作に追従しやすい耐刃防御衣料を組み立てることができる利点がある。碁盤の目に相当する列や行の幅、形状は、使用目的や部位による作用の必要性にもとづいて適宜に変更すればよい。例えば、図２に示される防刃チョッキは、全体として本発明でいう「実質的に碁盤の目状」の範疇であるが、身体の動作に対応し易いように上下部分で使用する耐刃角形板の上下幅が変えられている。また、身体の形状に合わせて周縁部には三角形や梯形の耐刃角形板が配列されている。耐刃角形板の形状や配列は前記のものに限定されるものではない。例えば、六角形の耐刃角形板を亀の甲状に配列することもできる。使用目的によって異形部材を組み込む場合には、その形状に応じて前記或いはそれ以外の形状や配列を適宜に組み合わせて製作し使用すればよい。
【００１８】
耐刃角形板の角の部分の重なりが３層以上になる箇所では、互いに重なった角の部分５を切り欠き、このために発生するごく小さな開口部８（図１３に例示）は、ジョイント部品４で覆い防刃欠陥部が生じないように耐刃角形板を連結することが望ましい。
【００１９】
本発明に係る耐刃防御部材の特長の一つは、耐刃角形板１の連結態様である。角部分同士が重なりもしくは対峙して配列された２以上の耐刃角形板１が、互いに１個のジョイント部品４によって掛け繋がれ、ルーズに連結されているのである。本発明において「掛け繋がれ」は、従来から実施されている、重ねられた複数の部材を貫通する孔に連結部材、例えばボルトやリベットを挿入して部材同士を連結するのとは異なり、ジョイント部品４がもつ複数の連結端７を折り曲げて連結対象の耐刃角形板に設けられた連結孔６に挿通させ、折り曲げて耐刃角形板１を連結するのである。ジョイント部品を連結孔６に挿通させる方向に特段の制限はない。掛け繋がれた連結端７が耐刃防御部材の表側に位置する方向や、裏側に位置する方向がある。これらの組合せにより、例えば、図１（ａ）に示すような表側・裏側の両方向掛け繋ぎや図１（ｃ）、図２に示すような表側のみの一方向掛け繋ぎなどの連結方法が可能である。
【００２０】
ジョイント部品の形状は掛け繋ぐ耐刃角形板の配置方向、枚数等に合わせて適宜に設計することができる。ジョイント部品は、耐刃材料の平板を用い掛け繋ぐ耐刃角形板の枚数と少なくとも同数の連結端部７を有するものを使用する。対象となる連結端部の数により、矩形、Ｌ字形、Ｔ字形、Ｙ字形、十字形又は放射状の形態に製作するとよい。１枚のジョイント部品を用い、連結端部を所定の掛け繋ぎ方向に曲げてスリット状に形成された各耐刃角形板の連結孔に挿通し、連結端部を所定の止め方向に折り曲げ、掛け繋いで各耐刃角形板をルーズに連結する。
【００２１】
ジョイント部品の形状及び連結部分を図４〜図１２に例示した。４枚の耐刃角形板の角の部分が重なり合う箇所を平面形状が十字形のジョイント部品を用い表裏両方向に掛け繋ぐケースの一例を図４、図５に示した。図４は、連結孔に連結端を挿入するため折り曲げたジョイント部品、図５は４枚の各耐刃角形板の連結状態を示す図面である。同様にしてジョイント部品を一方向に掛け繋ぐケースの一例を図６、図７に示した。図８〜１１は、矩形のジョイント部品を用いて２枚の耐刃角形板を連結する例であって、図８、図１０は折り曲げたジョイント部品を、図９、図１１は２枚の各耐刃角形板の連結状態を示す。さらに、図１２は耐刃防御部材の周縁部分において２枚の耐刃角形板を連結するＬ字形のジョイント部品を示す図面である。図８、図９、図１２は表側・裏側の両方向掛け繋ぎを、図１０、図１１は一方向掛け繋ぎのケースである。
【００２２】
本発明に係る耐刃防御部材は、原則として他の耐刃防御部材と角の部分において連結されるが、隣り合う防御部材と重なる周縁部が長い場合、中間点においてジョイント部品を用い掛け繋いでルーズに連結してもよい。周縁部において丘状に曲げられたリブは連結部分において平板とし、例えば、図９、図１１に示されるように双方の耐刃防御部材（耐刃角形板）の縁部にそれぞれスリット状の連結孔をあけてジョイント部材の連結端部を挿通し、曲げて留めればよい。この場合もリベット等による連結態様とは異なり、ジョイント部品を取り付けるために耐刃防御部材の重ね幅を大きくする必要はなく元のまま連結できるので、耐刃防御部材重量に特段の影響はない。
【００２３】
耐刃角形板及びジョイント部品に使用する素材は、耐刃性があれば合成樹脂等を使用できるが、機能性、素材の厚さなどを考慮すると、金属、とくにチタン、アルミニウム合金（アルミニウムを含む）又はステンレス鋼が好適である。
【産業上の利用可能性】
【００２４】
本発明に係る耐刃防御部材および耐刃防御衣料は、従来のものに比較して軽くなり機動性に優れているので、警察官、ガードマン等が手軽に広く利用することができる。さらに、女性用や年配者用としても好適である。
【図面の簡単な説明】
【００２５】
【図１】本発明耐刃防御部材の一例を示す図                                        （ａ）表側・裏側掛け繋ぎの正面方向平面図                                      （ｂ）横方向断面図                                                            （ｃ）表側一方向掛け繋ぎの正面方向平面図
【図２】耐刃防御部材を使用して製作された耐刃防御衣料（防刃チョッキ）の一例を          示す図                                                                    （ａ）表側一方向掛け繋ぎの正面方向平面図                                      （ｂ）横方向断面図
【図３】耐刃角形板１の一例を示す図                                              （ａ）平面図                                                                  （ｂ）長手方向側面図                                                          （ｃ）Ａ−Ａ´断面図
【図４】連結孔に連結端を挿入するため折り曲げた平面形状が十字形のジョイント部          品を例示する図（表側・裏側掛け繋ぎ）
【図５】同上ジョイント部品を用い４枚の各耐刃角形板の連結状態を例示する図        （ａ）平面図
【図６】連結孔に連結端を挿入するため折り曲げた平面形状が十字形のジョイント部          品を例示する図（表側一方向掛け繋ぎ）
【図７】同上ジョイント部品を用い４枚の各耐刃角形板の連結状態を例示する図        （ａ）平面図
【図８】連結孔に連結端を挿入するため折り曲げた平面形状が矩形のジョイント部品          を例示する図（表側・裏側掛け繋ぎ）
【図９】同上ジョイント部品を用い２枚の各耐刃角形板の連結状態を例示する図
【図１０】連結孔に連結端を挿入するため折り曲げた平面形状が矩形のジョイント部            品を例示する図（表側一方向掛け繋ぎ）
【図１１】同上ジョイント部品を用い２枚の各耐刃角形板の連結状態を例示する図
【図１２】連結孔に連結端を挿入するため折り曲げた平面形状がＬ字形のジョイント            部品を例示する図（表側・裏側掛け繋ぎ）
【図１３】連結部分で発生するごく小さな開口部を例示する図
【符号の説明】
【００２６】
１：耐刃角形板                      ２：耐刃角形板の角の部分
３：隣接もしくは対峙して重なり合う耐刃角形板の角の部分
４：ジョイント部品                  ５：切欠き部分
６：連結孔                          ７：ジョイント部品の連結端部
８：開口部                          ９：リブ
１０：重ね合わされた周縁部          １１：通気孔
１２：耐刃防御部材                  １３：段差を付けた丘状領域
【図１】
2005069672.tif 000003
【図２】
2005069672.tif 000004
【図３】
2005069672.tif 000005
【図４】
2005069672.tif 000006
【図５】
2005069672.tif 000007
【図６】
2005069672.tif 000008
【図７】
2005069672.tif 000009
【図８】
2005069672.tif 000010
【図９】
2005069672.tif 000011
【図１０】
2005069672.tif 000012
【図１１】
2005069672.tif 000013
【図１２】
2005069672.tif 000014
【図１３】
2005069672.tif 000015